(57)【要約】【課題】プロジェクター間でメニュー表示の制御通信を行う構成を備えることなく、スタック投影において複数のプロジェクターのメニューを重ねて表示することなく、適切にメニューを表示できる映像表示装置、映像表示方法及び映像制御プログラムを提供すること。【解決手段】映像表示装置１００は、メニュー操作を指示する制御信号を無線で受信する無線受信部１０１と、制御信号が、自装置に対する制御信号であるか否か判断する制御部１０４と、制御信号が自装置に対する制御信号である場合、メニューを含む画像を出力し、制御信号が自装置に対する制御信号ではない場合、外部から入力された画像を出力する画像処理部１０６と、画像処理部１０６から出力された画像を投影する投影部１０７と、を備える。【選択図】図１
2017098761.tif 000002
【特許請求の範囲】
【請求項１】
メニュー操作を指示する制御信号を無線で受信する無線受信部と、
前記制御信号が、自装置に対する制御信号であるか否か判断する制御部と、
前記制御信号が自装置に対する制御信号である場合、メニューを含む画像を出力し、前記制御信号が自装置に対する制御信号ではない場合、外部から入力された画像を出力する画像処理部と、
前記画像処理部から出力された画像を投影する投影部と、を備える映像表示装置。
【請求項２】
前記画像処理部は、前記制御信号が自装置に対する制御信号ではない場合、外部から入力された画像の前記メニュー領域を黒画像として出力する請求項１に記載の映像表示装置。
【請求項３】
前記画像処理部は、前記制御信号が自装置に対する制御信号ではない場合、外部から入力された、他装置のメニュー画像を含む画像を出力する請求項１に記載の映像表示装置。
【請求項４】
投影する画像信号を受信して、投影画像データを出力する第１受信部と、
他装置のメニュー画像を含む画像信号を受信して、他装置のメニュー画像を含む画像データを出力する第２受信部と、
前記第１受信部が出力した画像データと、前記第２受信部が出力した画像データのいずれかを選択して、前記画像処理部に出力する入力切替部と、を備え、
前記入力切替部は、前記制御信号が自装置に対する制御信号である場合、投影画像データを前記画像処理部に出力し、前記制御信号が自装置に対する制御信号ではない場合、他装置のメニュー画像を含む画像データを前記画像処理部に出力し、
前記画像処理部は、前記制御信号が自装置に対する制御信号である場合、投影画像データにメニュー画像を重畳して、前記投影部に出力し、前記制御信号が自装置に対する制御信号ではない場合、他装置のメニュー画像を含む画像データを前記投影部に出力する請求項３に記載の映像表示装置。
【請求項５】
前記受信部は、赤外光の前記制御信号を受信する請求項１から４のいずれかに記載の映像表示装置。
【請求項６】
複数の映像表示装置において、
メニュー操作を指示する制御信号を無線で受信し、
前記制御信号が、自装置に対する制御信号であるか否か判断し、
前記制御信号が自装置に対する制御信号である映像表示装置は、メニューを含む画像を投影し、前記制御信号が自装置に対する制御信号ではない映像表示装置は、外部から入力された画像を投影し、
前記複数の映像表示装置は、画像を互いに重ねて投影させる映像表示方法。
【請求項７】
メニュー操作を指示する制御信号を無線で受信する無線受信部と、画像を投影する投影部とを備える映像表示装置に対して、
前記無線受信部において、無線で受信した、メニュー操作を指示する制御信号が、自装置に対する制御信号であるか否か判断するステップと、
前記制御信号が自装置に対する制御信号である場合、メニューを含む画像を前記投影部に出力し、前記制御信号が自装置に対する制御信号ではない場合は、外部から入力された画像を前記投影部に出力するステップと、をコンピュータに実行させる映像制御プログラム。
【発明の詳細な説明】
【技術分野】
【０００１】
本発明は映像表示装置、映像表示方法及び映像制御プログラムに関し、特にスタック投影を行う映像表示装置、映像表示方法及び映像制御プログラムに関する。
【背景技術】
【０００２】
プロジェクターを用いて大きなスクリーンに明るい画像を表示する方法として、スタック投影がある。スタック投影では、複数のプロジェクターで１つのスクリーンに同じ画像を重ねて表示させることにより、１台のプロジェクターより明るい画像を表示することができる。
【０００３】
一方、プロジェクターの設定等をスクリーンに表示させるオンスクリーンメニュー（以下「メニュー」と呼ぶ）機能がある。スタック投影を行っているプロジェクターに、リモコン等の操作によりオンスクリーンメニュー（以下「メニュー」と呼ぶ）を表示させると、個々のプロジェクターのメニューがスクリーン上に重なって表示されてしまう。
【０００４】
特許文献１では、１台のメインプロジェクターのみがメニューを表示し、他のサブプロジェクターがメニューを表示する領域を黒で表示することにより、メニューを重ねて表示しないプロジェクターシステムが記載されている。
【先行技術文献】
【特許文献】
【０００５】
【特許文献１】特開２０１２−１９４４２号公報
【発明の概要】
【発明が解決しようとする課題】
【０００６】
しかしながら、特許文献１のプロジェクターシステムでは、メインプロジェクターとサブプロジェクターとを区別して設定する必要があり、そしてメインプロジェクターとサブプロジェクターとの間でメニュー表示の制御について相互に通信を行う必要があるので、通信のための構成が増加及び複雑になるという課題がある。
【０００７】
本発明は、この点を鑑み、プロジェクター間でメニュー表示の制御通信を行う構成を備えることなく、スタック投影において複数のプロジェクターのメニューを重ねて表示することなく、適切にメニューを表示できる映像表示装置、映像表示方法及び映像制御プログラムを提供することを目的としている。
【課題を解決するための手段】
【０００８】
本発明の映像表示装置は、メニュー操作を指示する制御信号を無線で受信する無線受信部と、前記制御信号が、自装置に対する制御信号であるか否か判断する制御部と、前記制御信号が自装置に対する制御信号である場合、メニューを含む画像を出力し、前記制御信号が自装置に対する制御信号ではない場合、外部から入力された画像を出力する画像処理部と、前記画像処理部から出力された画像を投影する投影部と、を備えるようにした。
【０００９】
本発明の映像表示装置によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、外部から入力された画像を投影することにより、プロジェクター間でメニュー表示の制御通信を行う構成を備えることなく、スタック投影において複数のプロジェクターのメニューを混在させて表示することなく、適切にメニューを表示できる。
【００１０】
好ましくは、本発明の映像表示装置は、前記画像処理部は、前記制御信号が自装置に対する制御信号ではない場合、外部から入力された画像の前記メニュー領域を黒画像として出力するようにしてもよい。
【００１１】
本発明の映像表示装置によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、メニュー領域を黒画像とする画像を投影することにより、プロジェクター間でメニュー表示の制御通信を行う構成を備えることなく、スタック投影において複数のプロジェクターのメニューを混在させて表示することなく、適切にメニューを表示できる。
【００１２】
好ましくは、本発明の映像表示装置は、前記画像処理部は、前記制御信号が自装置に対する制御信号ではない場合、外部から入力された、他装置のメニュー画像を含む画像を出力するようにしてもよい。
【００１３】
好ましくは、本発明の映像表示装置は、投影する画像信号を受信して、投影画像データを出力する第１受信部と、他装置のメニュー画像を含む画像信号を受信して、他装置のメニュー画像を含む画像データを出力する第２受信部と、前記第１受信部が出力した画像データと、前記第２受信部が出力した画像データのいずれかを選択して、前記画像処理部に出力する入力切替部と、を備え、前記入力切替部は、前記制御信号が自装置に対する制御信号である場合、投影画像データを前記画像処理部に出力し、前記制御信号が自装置に対する制御信号ではない場合、他装置のメニュー画像を含む画像データを前記画像処理部に出力し、前記画像処理部は、前記制御信号が自装置に対する制御信号である場合、投影画像データにメニュー画像を重畳して、前記投影部に出力し、前記制御信号が自装置に対する制御信号ではない場合、他装置のメニュー画像を含む画像データを前記投影部に出力するようにしてもよい。
【００１４】
本発明の映像表示装置によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、他の装置からメニューを含む画像の入力を受け付けて、メニューを含む画像を投影することにより、プロジェクター間でメニュー表示の制御通信を行う構成を備えることなく、スタック投影において複数のプロジェクターのメニューを混在させて表示することなく、適切に明るくメニューを表示できる。
【００１５】
好ましくは、本発明の映像表示装置は、前記受信部は、赤外光の前記制御信号を受信するようにしてもよい、
【００１６】
本発明の映像表示方法は、複数の映像表示装置において、メニュー操作を指示する制御信号を無線で受信し、前記制御信号が、自装置に対する制御信号であるか否か判断し、前記制御信号が自装置に対する制御信号である映像表示装置は、メニューを含む画像を投影し、前記制御信号が自装置に対する制御信号ではない映像表示装置は、外部から入力された画像を投影し、前記複数の映像表示装置は、画像を互いに重ねて投影させるようにした。
【００１７】
本発明の映像表示方法によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、外部から入力された画像を投影することにより、プロジェクター間でメニュー表示の制御通信を行う構成を備えることなく、スタック投影において複数のプロジェクターのメニューを混在させて表示することなく、適切にメニューを表示できる。
【００１８】
本発明の映像制御プログラムは、メニュー操作を指示する制御信号を無線で受信する無線受信部と、画像を投影する投影部とを備える映像表示装置に対して、前記無線受信部において、無線で受信した、メニュー操作を指示する制御信号が、自装置に対する制御信号であるか否か判断するステップと、前記制御信号が自装置に対する制御信号である場合、メニューを含む画像を前記投影部に出力し、前記制御信号が自装置に対する制御信号ではない場合は、外部から入力された画像を前記投影部に出力するステップと、をコンピュータに実行させるようにした。
【００１９】
本発明の映像制御プログラムによれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、外部から入力された画像を投影することにより、プロジェクター間でメニュー表示の制御通信を行う構成を備えることなく、スタック投影において複数のプロジェクターのメニューを混在させて表示することなく、適切にメニューを表示できる。
【発明の効果】
【００２０】
本発明の映像表示装置、映像表示方法及び映像制御プログラムによれば、プロジェクター間でメニュー表示の制御通信を行う構成を備えることなく、スタック投影において複数のプロジェクターのメニューを混在させて表示することなく、適切にメニューを表示できる。
【図面の簡単な説明】
【００２１】
【図１】実施の形態１に係る映像表示装置の概略構成を示すブロック図である。
【図２】実施の形態１に係る映像表示装置を用いたスタック映像表示システムの概略構成を示すブロック図である。
【図３】実施の形態１に係る映像表示装置の動作の一例を示すフローチャートである。
【図４】実施の形態１にかかる映像表示装置における画像処理の一例を示す図である。
【図５】実施の形態２に係る映像表示装置の概略構成を示すブロック図である。
【図６】実施の形態２に係る映像表示装置を用いたスタック映像表示システムの概略構成を示すブロック図である。
【図７】実施の形態２に係る映像表示装置の動作の一例を示すフローチャートである。
【図８】実施の形態２にかかる映像表示装置における画像処理の一例を示す図である。
【発明を実施するための形態】
【００２２】
（実施の形態１）
以下、図面を参照して本発明の実施の形態について説明する。図１は、実施の形態１に係る映像表示装置の概略構成を示すブロック図である。図１において、映像表示装置１００は、受信部１０１と、記憶部１０２と、画像入力部１０３と、制御部１０４と、ＯＳＤ部１０５と、画像処理部１０６と、投影部１０７と、画像出力部１０８と、を備える。
【００２３】
受信部１０１は、外部からの制御信号を受信し、信号処理を行う。そして受信部１０１は、信号処理を行った制御信号を制御部１０４出力する。例えば、ＩＲ（赤外）通信を用いる場合、受信部１０１は、赤外光を受光して電気信号に変換する受光素子、増幅回路、復調回路及び復号回路を備えることが好適である。
【００２４】
記憶部１０２は、自装置のＩＤ（識別子）を記憶する。具体的には記憶部１０２は、ＲＯＭ(Read Only Memory)またはフラッシュメモリ等の不揮発性メモリで構成されることが好適である。
【００２５】
画像入力部１０３は、ＰＣ（パーソナルコンピュータ）等の画像を生成して出力する画像出力装置または他の映像表示装置から出力された画像データの入力を受け付け、画像処理部１０６に画像データ出力する。例えば、画像入力部１０３は、接続する装置に対応したインターフェース及び増幅回路を備えることが好適である。このように画像入力部１０３は、画像データを受信する受信部として機能する。
【００２６】
制御部１０４は、記憶部１０２に記憶されたＩＤに基づいて、受信した制御信号が自装置宛てのものであるか否か判断する。例えば、制御部１０４は、受信した制御信号内に記憶部１０２に記憶されたＩＤが含まれている場合、受信した制御信号が自装置宛てのものであると判断する。
【００２７】
また、制御部１０４は、受信した自装置宛ての制御信号に基づいてＯＳＤ部１０５に、メニュー画像の生成を指示する。更に、制御部１０４は、画像処理部１０６に画像処理の内容を指示する。具体的な画像処理の内容については後述する。
【００２８】
また、制御部１０４は、ＣＰＵ(Central Processing Unit)、ＡＳＩＣ(Application Specific Integrated Circuit)等の処理装置で構成されることが好適である。
【００２９】
ＯＳＤ部１０５は、制御部１０４からの指示に従い、映像表示装置１００の操作、表示等に関するメニュー画像を生成する。そして、ＯＳＤ部１０５は、メニュー画像を画像処理部１０６に出力する。このメニュー画像は、投影部１０７によりスクリーン等に表示される（いわゆるオンスクリーンディスプレイである）。
【００３０】
画像処理部１０６は、制御部１０４からの指示に従い、画像入力部１０３が入力を受け付けた画像データを処理する。そして、画像処理部１０６は、処理した画像データを投影部１０７に出力し、画像入力部１０３が入力を受け付けた画像データを画像出力部１０８に出力する。具体的には、画像処理部１０６は、受信した制御信号が自装置宛てのものである場合、画像入力部１０３から出力された画像データにＯＳＤ部１０５で生成されたメニュー画像を重畳する。また、画像処理部１０６は、受信した制御信号が自装置宛てのものではない場合、画像入力部１０３から出力された画像データにメニュー領域を黒画像とする画像処理を実行する。
【００３１】
また、画像処理部１０６は、ＧＰＵ(Graphics Processing Unit)、ＣＰＵ、ＡＳＩＣ等の処理装置で構成されることが好適である。また、画像処理部１０６は、制御部１０４と同一の処理装置で構成してもよい。
【００３２】
投影部１０７は、画像処理部１０６において処理された画像データを、光として発し、スクリーン等に投影する。具体的には、投影部１０７は、ＬＣＤ駆動部、ＬＣＤパネ及びライトバルブ等により構成されることが好適である。
【００３３】
画像出力部１０８は、画像処理部１０６から出力された画像データを他の映像表示装置に出力する。具体的には、画像出力部１０８は、増幅回路及び接続する装置に対応したインターフェースを備えることが好適である。
【００３４】
スタック映像では、複数の映像表示装置１００を用い、１つのスクリーンに同じ画像を重ねて表示させることにより、１台のプロジェクターより明るい画像を表示する。図２は、実施の形態１に係る映像表示装置を用いたスタック映像表示システムの概略構成を示すブロック図である。図２において、スタック映像表示システム２００は、画像出力装置２０１と、リモートコントローラ２１１と、映像表示装置１００−１〜１００−３とを備える。図２の映像表示装置１００−１〜１００−３は、それぞれ、図１の映像表示装置１００と同様の構成を有する。同様に、映像表示装置１００−１〜１００−３内の各構成についても、映像表示装置１００内の各構成に枝番を付した構成が対応する。
【００３５】
画像出力装置２０１は、投影する画像データを出力する装置である。画像出力装置２０１は、ＰＣ等、画像を出力する装置であればいずれも適用できる。
【００３６】
リモートコントローラ２１１は、映像表示装置１００−１〜１００−３のいずれか、または複数を遠隔で操作するコントローラである。具体的には、リモートコントローラ２１１は、制御信号（例えばリモコンコード）を無線で送信することにより、映像表示装置１００−１〜１００−３のいずれか、または複数に対して、メニュー画像の表示、設定、操作等を伝える。例えば、リモートコントローラ２１１は、メニュー表示用ボタンと、メニューを抜けるためのExitボタンを含む入力装置、ＩＤを登録する記憶装置、入力装置の入力内容を制御信号に変換し、制御信号にＩＤを挿入するプロセッサ、制御信号を赤外光等の無線信号に変換して発する発光素子等を備えることが好適である。
【００３７】
映像表示装置１００−１〜１００−３内の各構成は、上述したように図１の映像表示装置１００と同様であるので説明を省略する。この映像表示装置１００−１〜１００−３は、いわゆるデイジーチェーン接続されており、画像出力装置２０１が出力した画像データを映像表示装置１００−１から映像表示装置１００−２、そして映像表示装置１００−３に伝達する。具体的には、画像出力装置２０１と画像入力部１０３−１とが接続し、画像出力部１０８−１と画像入力部１０３−２とが接続し、画像出力部１０８−２と画像入力部１０３−３とが接続している。
【００３８】
そして、投影部１０７−１〜１０７−３が１つのスクリーンに同じ画像を重ねて投影することにより、スタック投影を実現する。
【００３９】
次に、スタック投影において、映像表示装置のメニュー画像を表示する場合の動作及び画像処理について説明する。図３は、実施の形態１に係る映像表示装置の動作の一例を示すフローチャートである。図４は、実施の形態１にかかる映像表示装置における画像処理の一例を示す図である。
【００４０】
まず、図３のステップＳ３０１において、受信部１０１は、制御信号を無線で受信し、ステップＳ３０２に進む。
【００４１】
ステップＳ３０２において、制御部１０４は、記憶部１０２に記憶されたＩＤに基づいて、受信した制御信号が自装置宛てのものであるか否か判断する。受信した制御信号が自装置宛てのものである場合、メニューを表示するためにステップＳ３０３に進み、受信した制御信号が自装置宛てのものではない場合、画像データを表示するためにステップＳ３０７に進む。
【００４２】
ステップＳ３０３において、画像処理部１０６は、画像入力部１０３から出力された画像データにＯＳＤ部１０５で生成されたメニュー画像を重畳し、ステップＳ３０４に進む。具体的には、図４の左上に示すように、画像データ４１１にオンスクリーンメニュー画像４１２を重畳することにより画像データ４０１を得る。
【００４３】
ステップＳ３０４において、画像出力部１０８は、画像処理部１０６から出力された画像データを他の映像表示装置に出力し、ステップＳ３０５に進む。すなわち、画像出力部１０８は、図４の左上に示す、画像データ４１１を出力する。
【００４４】
ステップＳ３０５において、投影部１０７は、画像処理部１０６においてメニュー画像が重畳された画像データを、スクリーン等に投影し、ステップＳ３０６に進む。
【００４５】
ステップＳ３０６において、制御部１０４は、受信した制御信号に、リモートコントローラ２１１のExitキーが押されたことによりメニュー表示を終了する指示が含まれているか否か判断する。制御信号に、メニュー表示を終了する指示が含まれている場合、ステップＳ３１１に進み、制御信号に、メニュー表示を終了する指示が含まれていない場合、ステップＳ３０３に戻る。
【００４６】
ステップＳ３０７において、画像入力部１０３は、画像データの入力を受け付ける。画像データが画像入力部１０３に入力されている場合、ステップＳ３０８に進み、画像データが画像入力部１０３に入力されていない場合、ステップＳ３０７を繰り返す。
【００４７】
ステップＳ３０８において、画像処理部１０６は、画像入力部１０３から出力された画像データにメニュー領域を黒画像とする画像処理を実行し、ステップＳ３０９に進む。具体的には、図４の右上に示すように、画像データ４２１に黒画像４２２を重畳することにより画像データ４２１を得る。
【００４８】
ステップＳ３０９において、投影部１０７は、画像処理部１０６においてメニュー領域を黒画像とした画像データを、スクリーン等に投影し、ステップＳ３１０に進む。
【００４９】
ステップＳ３１０において、制御部１０４は、受信した制御信号に、リモートコントローラ２１１のExitキーが押されたことによりメニュー表示を終了する指示が含まれているか否か判断する。制御信号に、メニュー表示を終了する指示が含まれている場合、ステップＳ３１１に進み、制御信号に、メニュー表示を終了する指示が含まれていない場合、ステップＳ３０９に戻る。
【００５０】
ステップＳ３１１において、画像出力部１０８は、画像処理部１０６から出力された画像データを投影部１０７に出力し、投影部１０７は、画像データをスクリーン等に投影して、処理を終了する。
【００５１】
映像表示装置１００−１〜１００−３は、以上の動作を行い、１つのスクリーンに同じ画像を重ねて表示する。映像表示装置１００−１〜１００−３のうち、メニュー表示を指示された映像表示装置が画像データ４１１を投影し、メニュー表示を指示されていない映像表示装置が画像データ４２１を投影する。これらの投影を重ねると、メニュー表示を指示されていない映像表示装置は、黒画像４２１の領域については、光を発することがないので、メニュー表示を指示された映像表示装置が投影したオンスクリーンメニュー画像４１２が表示されることになる。従って、図４の中央下にしめすように、画像データ４３１にオンスクリーンメニュー画像４３２を重畳している画像データ４３１がスクリーン等に表示されることになる。
【００５２】
このように、実施の形態１の映像表示装置によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、メニュー領域を黒画像とする画像を投影することにより、プロジェクター間でメニュー表示の制御通信を行う構成を備えることなく、スタック投影において複数のプロジェクターのメニューを混在させて表示することなく、適切にメニューを表示できる。
【００５３】
（実施の形態２）
実施の形態２では、複数の映像表示装置が、同じメニュー画像を含む画像データを投影する例について説明する。図５は、実施の形態２に係る映像表示装置の概略構成を示すブロック図である。また、図５において、図１と同一の構成については、同一の番号を付し、説明を省略する。図５において、映像表示装置５００は、受信部１０１と、記憶部１０２と、画像入力部５０１と、画像入力部５０２と、制御部５０３と、入力切替部５０４と、ＯＳＤ部１０５と、画像処理部５０５と、投影部１０７と、画像出力部１０８と、を備える。
【００５４】
画像入力部５０１は、ＰＣ等の画像を生成して出力する画像出力装置から出力された画像データの入力を受け付け、画像処理部５０５に画像データ出力する。例えば、画像入力部５０１は、接続する画像出力装置に対応したインターフェース及び増幅回路を備えることが好適である。このように画像入力部５０１は、画像データを受信する第１受信部として機能する。
【００５５】
画像入力部５０２は、他の映像表示装置から出力された画像データの入力を受け付け、画像処理部５０５に画像データ出力する。例えば、画像入力部５０２は、画像入力部５０１と同様に、接続する他の映像表示装置に対応したインターフェース及び増幅回路を備えることが好適である。このように画像入力部５０２も、画像データを受信する第２受信部として機能する。
【００５６】
制御部５０３は、記憶部１０２に記憶されたＩＤに基づいて、受信した制御信号が自装置宛てのものであるか否か判断する。例えば、制御部５０３は、受信した制御信号内に記憶部１０２に記憶されたＩＤが含まれている場合、受信した制御信号が自装置宛てのものであると判断する。そして、制御部５０３は、受信した制御信号が自装置宛てのものである場合、画像入力部５０１に入力された画像データを選択して画像処理部５０５に出力するように入力切替部５０４に指示し、受信した制御信号が自装置宛てのものでない場合、画像入力部５０２に入力された画像データを選択して画像処理部５０５に出力するように入力切替部５０４に指示する。
【００５７】
また、制御部５０３は、受信した自装置宛ての制御信号に基づいてＯＳＤ部１０５に、メニュー画像の生成を指示する。更に、制御部５０３は、画像処理部５０５に画像処理の内容を指示する。具体的な画像処理の内容については後述する。また、制御部５０３は、ＣＰＵ、ＡＳＩＣ等の処理装置で構成されることが好適である。
【００５８】
入力切替部５０４は、制御部５０３の指示に従い、画像入力部５０１または画像入力部５０２に入力した画像データを選択して画像処理部５０５に出力する。具体的には、入力切替部５０４は、受信した制御信号が自装置宛てのものである場合、画像入力部５０１に入力された画像データを選択して画像処理部５０５に出力し、受信した制御信号が自装置宛てのものでない場合、画像入力部５０２に入力された画像データを選択して画像処理部５０５に出力する。
【００５９】
画像処理部５０５は、制御部５０３からの指示に従い、画像処理を行う。具体的には、画像処理部５０５は、受信した制御信号が自装置宛てのものである場合、画像入力部５０１が入力を受け付けた画像データにＯＳＤ部１０５で生成されたメニュー画像を重畳する。そして、画像処理部５０５は、処理した画像データを投影部１０７及び画像出力部１０８に出力する。
【００６０】
また、画像処理部５０５は、受信した制御信号が自装置宛てのものではない場合、画像入力部５０２から出力された画像データを投影部１０７及び画像出力部１０８に出力する。画像処理部５０５は、ＧＰＵ、ＣＰＵ、ＡＳＩＣ等の処理装置で構成されることが好適である。また、画像処理部５０５は、制御部５０３と同一の処理装置で構成してもよい。
【００６１】
スタック映像では、複数の映像表示装置５００を用い、１つのスクリーンに同じ画像を重ねて表示させることにより、１台のプロジェクターより明るい画像を表示する。図６は、実施の形態２に係る映像表示装置を用いたスタック映像表示システムの概略構成を示すブロック図である。図６において、スタック映像表示システム６００は、画像出力装置２０１と、リモートコントローラ２１１と、映像表示装置５００−１〜５００−３とを備える。図６の映像表示装置５００−１〜５００−３は、それぞれ、図５の映像表示装置５００と同様の構成を有する。同様に、映像表示装置５００−１〜５００−３内の各構成についても、映像表示装置５００内の各構成に枝番を付した構成が対応する。また、図２と同一の構成については、同一の番号を付し、説明を省略する。
【００６２】
この映像表示装置５００−１〜５００−３は、いわゆるデイジーチェーン接続されており、画像出力装置２０１が出力した画像データを映像表示装置５００−１から映像表示装置５００−２、そして映像表示装置５００−３に伝達する。実施の形態２では、特に画像出力装置２０１が映像表示装置５００−１〜５００−３と接続されている点、及び映像表示装置５００−１〜５００−３が循環するようにデイジーチェーン接続されている点が実施の形態１と異なる。
【００６３】
具体的には、画像出力装置２０１と画像入力部５０１−１〜５０１−３とが接続し、画像出力部１０８−１と画像入力部５０２−２とが接続し、画像出力部１０８−２と画像入力部５０２−３とが接続し、画像出力部１０８−３と画像入力部５０２−１とが接続している。
【００６４】
そして、実施の形態２においても、投影部１０７−１〜１０７−３が１つのスクリーンに同じ画像を重ねて投影することにより、スタック投影を実現する。
【００６５】
次に、スタック投影において、映像表示装置のメニュー画像を表示する場合の動作及び画像処理について説明する。図７は、実施の形態２に係る映像表示装置の動作の一例を示すフローチャートである。図８は、実施の形態２にかかる映像表示装置における画像処理の一例を示す図である。
【００６６】
まず、図７のステップＳ７０１において、受信部１０１は、制御信号を無線で受信し、ステップＳ７０２に進む。
【００６７】
ステップＳ７０２において、制御部５０３は、記憶部１０２に記憶されたＩＤに基づいて、受信した制御信号が自装置宛てのものであるか否か判断する。受信した制御信号が自装置宛てのものである場合、メニューを表示するためにステップＳ７０３に進み、受信した制御信号が自装置宛てのものではない場合、画像データを表示するためにステップＳ７０９に進む。
【００６８】
ステップＳ７０３において、入力切替部５０４は、制御部５０３の指示に従い、画像入力部５０１に入力した画像データを選択して、画像処理部５０５に出力し、ステップＳ７０４に進む。
【００６９】
ステップＳ７０４において、画像処理部５０５は、画像入力部５０１から出力された画像データにＯＳＤ部１０５で生成されたメニュー画像を重畳し、ステップＳ７０５に進む。具体的には、図８の左上に示すように、画像データ８１１にオンスクリーンメニュー画像８１２を重畳することにより画像データ８０１を得る。
【００７０】
ステップＳ７０５において、画像出力部１０８は、画像処理部５０５から出力された画像データを他の映像表示装置に出力し、ステップＳ７０６に進む。すなわち、画像出力部１０８は、図８の左上に示す、オンスクリーンメニュー画像８１２を重畳した画像データ８０１を出力する。
【００７１】
ステップＳ７０６において、投影部１０７は、画像処理部５０５においてメニュー画像が重畳された画像データを、スクリーン等に投影し、ステップＳ７０７に進む。
【００７２】
ステップＳ７０７において、制御部５０３は、受信した制御信号に、リモートコントローラ２１１のExitキーが押されたことによりメニュー表示を終了する指示が含まれているか否か判断する。制御信号に、メニュー表示を終了する指示が含まれている場合、ステップＳ７１２に進み、制御信号に、メニュー表示を終了する指示が含まれていない場合、ステップＳ７０４に戻る。
【００７３】
ステップＳ７０８において、入力切替部５０４は、制御部５０３の指示に従い、画像入力部５０２に入力した画像データを選択して、画像処理部５０５に出力し、ステップＳ７０９に進む。
【００７４】
ステップＳ７０９において、画像入力部５０２は、画像データの入力を受け付ける。画像データが画像入力部５０２に入力されている場合、ステップＳ７１０に進み、画像データが画像入力部５０２に入力されていない場合、ステップＳ７０９を繰り返す。
【００７５】
ステップＳ７１０において、投影部１０７は、画像入力部５０２で入力を受け付けた画像データを、無加工でスクリーン等に投影し、ステップＳ７１１に進む。
【００７６】
ステップＳ７１１において、制御部５０３は、受信した制御信号に、リモートコントローラ２１１のExitキーが押されたことによりメニュー表示を終了する指示が含まれているか否か判断する。制御信号に、メニュー表示を終了する指示が含まれている場合、ステップＳ７１２に進み、制御信号に、メニュー表示を終了する指示が含まれていない場合、ステップＳ７１０に戻る。
【００７７】
ステップＳ７１２において、画像出力部１０８は、画像処理部５０５から出力された画像データを投影部１０７に出力し、投影部１０７は、画像データをスクリーン等に投影して、処理を終了する。
【００７８】
映像表示装置５００−１〜５００−３は、以上の動作を行い、１つのスクリーンに同じ画像を重ねて表示する。映像表示装置５００−１〜５００−３のうち、メニュー表示を指示された映像表示装置が、メニュー画像が重畳された画像データ８１１を投影し、メニュー表示を指示されていない映像表示装置も、メニュー画像が重畳された画像データ８２１を投影する。これらの投影を重ねると、共に同じメニュー画像が重畳された画像データ投影することになる。従って、図８の中央下にしめすように、画像データ８３１にオンスクリーンメニュー画像８３２を重畳している画像データ８３１がスクリーン等に表示されることになる。この画像データ８３１及びオンスクリーンメニュー画像８３２は、共に複数の映像表示装置５００−１〜５００−３から発せられた光を重ねているので、１つの映像表示装置から投影された画像よりも明るく表示することができる。
【００７９】
このように、実施の形態２の映像表示装置によれば、メニュー操作を指示する制御信号を無線で受信して、制御信号が、自装置に対する制御信号であるか否か判断し、制御信号が自装置に対する制御信号である場合、メニューを含む画像を投影し、制御信号が自装置に対する制御信号ではない場合、他の装置からメニューを含む画像の入力を受け付けて、メニューを含む画像を投影することにより、プロジェクター間でメニュー表示の制御通信を行う構成を備えることなく、スタック投影において複数のプロジェクターのメニューを混在させて表示することなく、適切に明るくメニューを表示できる。
【００８０】
なお、本発明は上記実施の形態に限られたものではなく、趣旨を逸脱しない範囲で適宜変更することが可能である。例えば、上記実施の形態では、赤外線通信によりプロジェクターのメニュー操作を指示しているが、他の波長帯の光または電波いずれかの無線通信によりプロジェクターのメニュー操作を指示してもよい。
【００８１】
上記実施の形態では、映像表示装置の投影部は、液晶ライトバルブを用いても良いし、画像信号に応じて画像を形成する光を射出する種々の装置を用いても良い。例えば、ＤＭＤ（ディジタルマイクロミラーデバイス）などのマイクロミラー型光変調装置を用いてもよい。
【００８２】
また、上記実施の形態では、３台の映像表示装置を用いた例について説明しているが、映像表示装置の数は特に限定されない。
【００８３】
また、上記実施の形態において、制御部１０４、ＯＳＤ部１０５、及び画像処理部１０６における処理は、ＡＳＩＣ（Application Specific Integrated Circuit）等のハードウェアまたはソフトウェアで実施できる。また、処理の一部をソフトウェアで実施し、それ以外をハードウェアで実施することとしても良い。ソフトウェアで実施する際には、マイクロプロセッサ等の１つあるいは複数のＣＰＵ（Central Processing Unit）を有するコンピュータシステムに機能ブロックの処理に関するプログラムを実行させればよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc Read Only Memory）、ＣＤ−Ｒ、ＣＤ−Ｒ／Ｗ、ＤＶＤ−ＲＯＭ（Digital Versatile Disc Read Only Memory）、ＤＶＤ−Ｒ（DVD Recordable）、ＤＶＤ−Ｒ  ＤＬ（DVD-R Dual Layer)、ＤＶＤ−ＲＷ（DVD ReWritable）、ＤＶＤ−ＲＡＭ、ＤＶＤ＋Ｒ、ＤＶＲ＋Ｒ  ＤＬ、ＤＶＤ＋ＲＷ、ＢＤ−Ｒ（Blu-ray（登録商標） Disc Recordable）、ＢＤ−ＲＥ（Blu-ray （登録商標）Disc Rewritable）、ＢＤ−ＲＯＭ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８４】
１００、５００  映像表示装置
１０１  受信部
１０２  記憶部
１０３、５０１、５０２  画像入力部
１０４、５０３  制御部
１０５  ＯＳＤ部
１０６、５−５  画像処理部
１０７  投影部
１０８  画像出力部
２００、６００  スタック映像表示システム
２０１  画像出力装置
２１１  リモートコントローラ
５０４  入力切替部
６００  スタック映像表示システム
【図１】
2017098761.tif 000003
【図２】
2017098761.tif 000004
【図３】
2017098761.tif 000005
【図４】
2017098761.tif 000006
【図５】
2017098761.tif 000007
【図６】
2017098761.tif 000008
【図７】
2017098761.tif 000009
【図８】
2017098761.tif 000010